【事件の表示】
　特許第３１４３３６８号「液晶プロジェクタ」の請求項１、２に係る特許に対する特許異議の申立てについて、次のとおり決定する。
【結　論】
　訂正を認める。
　特許第３１４３３６８号の請求項１、２に係る特許を維持する。
【理　由】
１．手続の経緯
　本件特許第３１４３３６８号の請求項１及び２に係る発明は、平成７年８月９日に特許出願され、平成１２年１２月２２日にその特許の設定登録がなされ、その後異議申立人海老原雄一により特許異議の申立てがなされ、取消理由が通知され、その指定期間内である平成１４年１月２５日に訂正請求がなされた後、再度取消理由が通知され、その指定期間内である平成１４年２月２１日に、平成１４年１月２５日付けの訂正請求を取り下げるとともに、新たに訂正請求がなされたものである。
２．訂正の適否についての判断
ア．訂正の内容
ａ．特許請求の範囲の請求項１に於ける「該クロスフローファンからの冷却風を・・・・該シャーシ部の側面には前記クロスフローファンが配置されるとともに前記シャーシ部の底面には前記送風ダクトが配置されている」を、「前記光源（１）と前記色分離手段と前記液晶パネル（７Ｇ）（７Ｒ）（７Ｂ）と前記色合成手段と前記投射レンズ（９）とは同一のシャーシ部に収納され、該シャーシ部の側面に前記クロスフローファン（１０）が配置される液晶プロジェクタに於いて、
　シャーシ部内に、クロスフローファン（１０）からの冷却風を、対応した液晶パネル（７Ｇ）（７Ｒ）（７Ｂ）に案内する３本の送風ダクト（１１Ｃ）（１１Ｄ）（１１Ｅ）を独立して具え、前記シャーシ部の底面に前記送風ダクト（１１Ｃ）（１１Ｄ）（１１Ｅ）が配置され、
　赤色光に照射される液晶パネル（７Ｒ）を冷却する送風ダクト（１１Ｄ）の口径は、青色光、緑色光に照射される液晶パネル（７Ｂ）（７Ｇ）を冷却する送風ダクト（１１Ｅ）（１１Ｃ）の口径よりも小さく形成された」 と訂正し、
　特許請求の範囲の請求項２に於ける「請求項１乃至請求項２記載の液晶プロジェクタ。」を、「請求項１に記載の液晶プロジェクタ。」と訂正する。
ｂ．明細書の【００１８】の「本発明は、・・・・液晶プロジェクタである。」を、「本発明は、白色光を発光する光源（１）と、該光源（１）からの白色光を３原色に分離する色分離手段と、該色分離手段により分離された各原色光を映像信号に応じて光変調する３枚の液晶パネル（７Ｇ）（７Ｒ）（７Ｂ）と、該液晶パネル（７Ｇ）（７Ｒ）（７Ｂ）により光変調された各原色光を合成する色合成手段と、該色合成手段により合成された光を投射する投射レンズ（９）と、前記液晶パネル（７Ｇ）（７Ｒ）（７Ｂ）を冷却するために冷却風を発生するクロスフローファン（１０）とを具え、
　前記光源（１）と前記色分離手段と前記液晶パネル（７Ｇ）（７Ｒ）（７Ｂ）と前記色合成手段と前記投射レンズ（９）とは同一のシャーシ部に収納され、該シャーシ部の側面に前記クロスフローファン（１０）が配置される液晶プロジェクタである。
　シャーシ部内に、クロスフローファン（１０）からの冷却風を、対応した液晶パネル（７Ｇ）（７Ｒ）（７Ｂ）に案内する３本の送風ダクト（１１Ｃ）（１１Ｄ）（１１Ｅ）を独立して具え、前記シャーシ部の底面に前記送風ダクト（１１Ｃ）（１１Ｄ）（１１Ｅ）が配置され、
　赤色光に照射される液晶パネル（７Ｒ）を冷却する送風ダクト（１１Ｄ）の口径は、青色光、緑色光に照射される液晶パネル（７Ｂ）（７Ｇ）を冷却する送風ダクト（１１Ｅ）（１１Ｃ）の口径よりも小さく形成されたことを特徴とする。」と訂正し、
　明細書の【００１９】の「また、本発明は、・・・・液晶プロジェクタである。」を、「前記液晶パネル（７Ｇ）（７Ｒ）（７Ｂ）は、液晶が封入された液晶表示部と該液晶表示部の両側に配置された第１偏光板及び第２偏光板とから構成されている。」と訂正する。
ｃ．明細書の【００４７】の「冷却することができる」を、「冷却することができる。特に、第４ダクト（１１Ｄ）の口径を、第３ダクト（１１Ｃ）及び第５ダクト（１１Ｅ）の口径に対して小さく形成することにより、第３、第４、第５ダクト（１１Ｃ）（１１Ｄ）（１１Ｅ）を収納するシャーシ部を小さくでき、液晶プロジェクタの小型化が図れる。」と訂正する。
イ．訂正の目的の適否、新規事項の有無及び拡張・変更の存否
　上記訂正事項ａの請求項１に関するものは、明細書の【００４１】及び【００４３】の記載に基づいて、送風ダクトの口径について限定するものであるから、特許請求の範囲の減縮に該当し、また、請求項２に関するものは、引用項についての誤記の訂正に該当し、いずれも新規事項の追加に該当せず、また、実質的に特許請求の範囲を拡張し、又は、変更するものではない。
　上記訂正事項ｂは、上記訂正事項ｂとの整合を図るために、明細書の【００４１】、【００４３】及び特許請求の範囲の【請求項２】の記載に基づいて、【００１８】及び【００１９】の記載を訂正するものであるから、明りょうでない記載の釈明に該当し、新規事項の追加に該当せず、また、実質的に特許請求の範囲を拡張し、又は、変更するものではない。
　上記訂正事項ｃは、明細書の【００４３】及び【００１７】の記載に基づいて、【００４７】の発明の効果の記載を明確化するものであるから、明りょうでない記載の釈明に該当し、新規事項の追加に該当せず、また、実質的に特許請求の範囲を拡張し、又は、変更するものではない。
ウ．結論
　以上のとおりであるから、上記訂正は、特許法第１２０条の４第２項の規定及び同条第３項において準用する特許法第１２６条第２項及び第３項の規定に適合するので、当該訂正を認める。
３．特許異議の申立てについて
ア．本件発明
　本件特許の請求項１及び２に係る発明（以下、それぞれ本件発明１及び２という）は、平成１４年２月２１日付けで提出された訂正明細書及び図面の記載からみて、その特許請求の範囲の請求項１及び２に各々記載された次の事項によって特定されるとおりのものである。
　「【請求項１】白色光を発光する光源（１）と、該光源（１）からの白色光を３原色に分離する色分離手段と、該色分離手段により分離された各原色光を映像信号に応じて光変調する３枚の液晶パネル（７Ｇ）（７Ｒ）（７Ｂ）と、該液晶パネル（７Ｇ）（７Ｒ）（７Ｂ）により変調された各原色光を合成する色合成手段と、該色合成手段により合成された光を投射する投射レンズ（９）と、前記液晶パネル（７Ｇ）（７Ｒ）（７Ｂ）を冷却するために冷却風を発生するクロスフローファン（１０）とを具え、
　前記光源（１）と前記色分離手段と前記液晶パネル（７Ｇ）（７Ｒ）（７Ｂ）と前記色合成手段と前記投射レンズ（９）とは同一のシャーシ部に収納され、該シャーシ部の側面に前記クロスフローファン（１０）が配置される液晶プロジェクタに於いて、
　シャーシ部内に、クロスフローファン（１０）からの冷却風を、対応した液晶パネル（７Ｇ）（７Ｒ）（７Ｂ）に案内する３本の送風ダクト（１１Ｃ）（１１Ｄ）（１１Ｅ）を独立して具え、前記シャーシ部の底面に前記送風ダクト（１１Ｃ）（１１Ｄ）（１１Ｅ）が配置され、
　赤色光に照射される液晶パネル（７Ｒ）を冷却する送風ダクト（１１Ｄ）の口径は、青色光、緑色光に照射される液晶パネル（７Ｂ）（７Ｇ）を冷却する送風ダクト（１１Ｅ）（１１Ｃ）の口径よりも小さく形成されたことを特徴とする液晶プロジェクタ。
【請求項２】前記液晶パネル（７Ｇ）（７Ｒ）（７Ｂ）は、液晶が封入された液晶表示部と該液晶表示部の両側に配置された第１偏光板及び第２偏光板とから構成されていることを特徴とする請求項１に記載の液晶プロジェクタ。」
イ．申立ての理由の概要
　特許異議申立人海老原雄一は、甲第１〜３号証を提出して、本件発明１及び２は、いずれも甲第１〜３号証刊行物に記載された発明であるか、あるいは、甲第１〜３号証刊行物に各々記載された発明に基づいて当業者が容易に発明をすることができたものであるから、特許法第２９条第１項第３号の規定に該当し、または、特許法第２９条第２項の規定により、特許を受けることができず、それらの特許は取り消されるべきものである旨主張する。
ウ．各刊行物に記載の発明
　甲第１〜３号証の各刊行物には、それぞれ次のように記載されている。
刊行物１：特開平４−５０９３７号公報（甲第１号証）
　「第４図乃至第７図は本発明液晶プロジェクタ装置の第２の実施例１７を示すものであり、この第２の実施例１７は本発明をフロントプロジェクション型であって、液晶パネルが３枚ある、いわゆる３板式の液晶プロジェクタ装置に適用したものである。」（第４頁右上欄第１８行〜左下欄第４行）
　「２１はバックライト１９の前方に反射面が光軸に対して４５°の角度で後斜め上方を向くように傾斜した状態で配置された第１のダイクロックミラーであり、該第１のダイクロックミラー２１はバックライト１９から出射された光のうち赤色成分のみを反射し、他の色成分（青色成分と緑色成分）の光束はそのまま透過させるようになっており、これにより、当該第１のダイクロックミラー２１によって赤色成分の光束のみが上方に反射され、他の色成分の光束が前方にそのまま透過される。
　２２は上記第１のダイクロックミラー２１の前に反射面が光軸に対して４５°の角度で後斜め上方を向くように傾斜した状態で配置された第２のダイクロックミラーであり、・・・・２３は第１のダイクロックミラー２１の上方にその反射面が前斜め下方を向くように傾斜した状態で配置された第１の全反射ミラーであり、・・・・２４は上記第１の全反射ミラー２３の前方に略垂直に配設された赤色用液晶パネルであり、映像信号のうち赤色成分の信号のみを画像として表示するものである。・・・・２５は第２のダイクロックミラー２２の上方に略水平に配設された緑色用液晶パネルであり、・・・・２６は第２のダイクロックミラー２２の前方に略垂直に配設された青色用液晶パネルであり、・・・・２７は第２のダイクロックミラー２２の前方にその反射面が後斜め上方を向くように傾斜した状態で配置された第２の全反射ミラーであり、・・・・２８は赤色用液晶パネル２４の前方であって、緑色用液晶パネル２５の上方に、その反射面が前斜め下方を向くように傾斜した状態で配置された第３のダイクロックミラーであり、・・・・２９は上記第３のダイクロックミラー２８の前方であって、第２の全反射ミラー２７の上方に、その反射面が前斜め下方を向くように傾斜した状態で配置された第４のダイクロックミラーであり、・・・・３０は第４のダイクロックミラー２９の前方であって外筐２のレンズ鏡筒２ａに配設されたプロジェクションレンズであり、各液晶パネル２４、２５、２６をそれぞれ透過し、各ダイクロックミラー２８、２９で合成された光線を通過させて、その像をスクリーン（図示は省略する。）に投影するものである。」（第４頁右下欄第８行〜第６頁左上欄第４行）
　「ダクト３１の導管部３２は側方から見て略矩形を呈すると共に前下がりに傾斜した状態で配置され、また、その横断面形状は縦長の偏平な矩形をしている。そして、導管部３２の右側面が前記液晶パネル２４、２５、２６の左側縁に対向すると共に、液晶パネル２４、２５、２６の対向した部分に液晶パネルの各左側縁の形状よりも稍大きな吹出口３４、３４、３４が形成されている。」（第６頁左上欄第１２行〜右上欄第１行）
　「・・・・上記ファン３５が回転されるとその回転により外気がダクト３１の吸入部３３に流入し、・・・・導管部３２に流入する。そして、・・・・液晶パネル２４、２５、２６に左方から外気が吹き付けられることになる。」（第６頁右上欄第１５行〜左下欄第７行）
刊行物２：特開平４−２３６５８７号公報（甲第２号証）
　「【００１２】本実施例に係る投影型映像表示装置は、図外のスクリーンに投影すべき画像が表示される３つの液晶パネル３１Ｒ、２１Ｇ、３１Ｂと、この液晶パネル３１Ｒ、３１Ｇ、３１Ｂに光源光Ｌを投射する光源１０と、前記液晶パネル３１Ｒ、３１Ｇ、３１Ｂを冷却する冷却機構７０とを備えており、前記冷却機構７０はクロスフローファン７１と、このクロスフローファン７１からの冷却風Ｗを液晶パネル３１Ｒ、３１Ｇ、３１Ｂに導く導風板７２とを有している。」（段落【００１２】）
刊行物３：特開平６−２８１９４８号公報（甲第３号証）
　「【００１３】
【作用】各液晶パネル（２１）（２２）（２３）の通風空間に近接して、夫々冷却機構（１）のクロスフローファン（１０）を配置し、クロスフローファン（１０）により送風し、各液晶パネル（２１）（２２）（２３）を冷却する。」（段落【００１３】）
　「【００１９】液晶パネル取付け台（２４）は、液晶パネル（２２）の光を遮らないように、中央部を大きく開口した額縁状の形状をしており、各液晶パネル取付け台（２４）の光の出射側に出射側偏光板（５５）を密接配置した液晶パネル（２２）をネジ止する。一方、入射側偏光板（５４）を密接配置したコンデンサレンズ（３２）の縁に、コンデンサレンズ取付部材（３４）を挟んで取付ける。」（段落【００１９】）
エ．判断
　本件発明１と各刊行物に記載のものとを対比すると、本件発明１を特定する事項のうち、「赤色光に照射される液晶パネルを冷却する送風ダクトの口径は、青色光、緑色光に照射される液晶パネルを冷却する送風ダクトの口径よりも小さく形成され」ることについては、刊行物１〜３のいずれにも記載されていず、また、これを示唆するところもない。
　しかるに、本件発明１は、ダクトの口径をこのようにすることにより、液晶プロジェクタを小型化する上での格別な作用効果を奏するものであるから、刊行物１〜３に記載された発明ではなく、また、刊行物１〜３に各々記載された発明に基づいて当業者が容易に発明をすることができたものでもない。
　また、本件発明２は、本件発明１を引用するものであって、本件発明１を特定する事項を全て備えるのであるから、刊行物１〜３に記載された発明ではなく、また、刊行物１〜３に各々記載された発明に基づいて当業者が容易に発明をすることができたものでもない。
４．むすび
　以上のとおりであるから、特許異議申立ての理由及び証拠によっては、本件発明１及び２の特許を取り消すことはできない。
　また、他に本件発明１及び２の特許を取り消すべき理由を発見しない。
　よって、結論のとおり決定する。
【異議決定日】
平成１４年３月１２日（２００２．３．１２）
【訂正の要旨】
（３）訂正事項
特許第３１４３３６８号発明の明細書を、訂正請求書に添付した訂正明細書の通りに、即ち、
ａ．特許請求の範囲の請求項１に於ける８行目乃至１４行目「該クロスフローファンからの冷却風を〜該シャーシ部の側面には前記クロスフローファンが配置されるとともに前記シャーシ部の底面には前記送風ダクトが配置されている」とあるのを、特許請求の範囲の減縮を目的として、『前記光源（１）と前記色分離手段と前記液晶パネル（７Ｇ）（７Ｒ）（７Ｂ）と前記色合成手段と前記投射レンズ（９）とは同一のシャーシ部に収納され、該シャーシ部の側面に前記クロスフローファン（１０）が配置される液晶プロジェクタに於いて、
　シャーシ内部に、クロスフローファン（１０）からの冷却風を、対応した液晶パネル（７Ｇ）（７Ｒ）（７Ｂ）に案内する３本の送風ダクト（１１Ｃ）（１１Ｄ）（１１Ｅ）を独立して具え、前記シャーシ部の底面に前記送風ダクト（１１Ｃ）（１１Ｄ）（１１Ｅ）が配置され、
　赤色光に照射される液晶パネル（７Ｒ）を冷却する送風ダクト（１１Ｄ）の口径は、青色光、緑色光に照射される液晶パネル（７Ｂ）（７Ｇ）を冷却する送風ダクト（１１Ｅ）（１１Ｃ）の口径よりも小さく形成された』と訂正する。
　特許請求の範囲の記載を明瞭にすべく、発明の特定事項である構成要素に適宜符号を付している。
　特許請求の範囲の請求項２に於ける４行目「請求項１乃至請求項２記載の液晶プロジェクタ。」とあるのを、誤記の訂正を目的として『請求項１に記載の液晶プロジェクタ。』と訂正する。
ｂ．特許請求の範囲の記載と、発明の詳細な説明の記載との整合性をとるために、明細書【００１８】項の１行目乃至１２行目「本発明は、〜液晶プロジェクタである。」とあるのを、明りょうでない記載の釈明を目的として、
　『本発明は、白色光を発光する光源（１）と、該光源（１）からの白色光を３原色に分離する色分離手段と、該色分離手段により分離された各原色光を映像信号に応じて光変調する３枚の液晶パネル（７Ｇ）（７Ｒ）（７Ｂ）と、該液晶パネル（７Ｇ）（７Ｒ）（７Ｂ）により変調された各原色光を合成する色合成手段と、該色合成手段により合成された光を投射する投射レンズ（９）と、前記液晶パネル（７Ｇ）（７Ｒ）（７Ｂ）を冷却するために冷却風を発生するクロスフローファン（１０）とを具え、
　前記光源（１）と前記色分離手段と前記液晶パネル（７Ｇ）（７Ｒ）（７Ｂ）と前記色合成手段と前記投射レンズ（９）とは同一のシャーシ部に収納され、該シャーシ部の側面に前記クロスフローファン（１０）が配置される液晶プロジェクタである。
　シャーシ内部に、クロスフローファン（１０）からの冷却風を、対応した液晶パネル（７Ｇ）（７Ｒ）（７Ｂ）に案内する３本の送風ダクト（１１Ｃ）（１１Ｄ）（１１Ｅ）を独立して具え、前記シャーシ部の底面に前記送風ダクト（１１Ｃ）（１１Ｄ）（１１Ｅ）が配置され、
　赤色光に照射される液晶パネル（７Ｒ）を冷却する送風ダクト（１１Ｄ）の口径は、青色光、緑色光に照射される液晶パネル（７Ｂ）（７Ｇ）を冷却する送風ダクト（１１Ｅ）（１１Ｃ）の口径よりも小さく形成されたことを特徴とする。』と訂正する。
　同じく、明細書【００１９】項の１行目乃至１５行目「また、本発明は、〜液晶プロジェクタである。」とあるのを『前記液晶パネル（７Ｇ）（７Ｒ）（７Ｂ）は、液晶が封入された液晶表示部と該液晶表示部の両側に配置された第１偏光板及び第２偏光板とから構成されている。』と訂正する。
ｃ．明細書【００４７】項の３行目乃至４行目「冷却することができる」とあるのを、明りょうでない記載の釈明を目的として、
『冷却することができる。特に、第４ダクト（１１Ｄ）の口径を、第３ダクト（１１Ｃ）及び第５ダクト（１１Ｅ）の口径に対して小さく形成することにより、第３、第４、第５ダクト（１１Ｃ）（１１Ｄ）（１１Ｅ）を収納するシャーシ部を小さくでき、液晶プロジェクタの小型化が図れる。』と訂正する。
（５４）【発明の名称】
液晶プロジェクタ
（５７）【特許請求の範囲】
　【請求項１】　白色光を発光する光源（１）と、該光源（１）からの白色光を３原色に分離する色分離手段と、該色分離手段により分離された各原色光を映像信号に応じて光変調する３枚の液晶パネル（７Ｇ）（７Ｒ）（７Ｂ）と、該液晶パネル（７Ｇ）（７Ｒ）（７Ｂ）により変調された各原色光を合成する色合成手段と、該色合成手段により合成された光を投射する投射レンズ（９）と、前記液晶パネル（７Ｇ）（７Ｒ）（７Ｂ）を冷却するために冷却風を発生するクロスフローファン（１０）とを具え、
　前記光源（１）と前記色分離手段と前記液晶パネル（７Ｇ）（７Ｒ）（７Ｂ）と前記色合成手段と前記投射レンズ（９）とは同一のシャーシ部に収納され、該シャーシ部の側面に前記クロスフローファン（１０）が配置される液晶プロジェクタに於いて、
　シャーシ部内に、クロスフローファン（１０）からの冷却風を、対応した液晶パネル（７Ｇ）（７Ｒ）（７Ｂ）に案内する３本の送風ダクト（１１Ｃ）（１１Ｄ）（１１Ｅ）を独立して具え、前記シャーシ部の底面に前記送風ダクト（１１Ｃ）（１１Ｄ）（１１Ｅ）が配置され、
　赤色光に照射される液晶パネル（７Ｒ）を冷却する送風ダクト（１１Ｄ）の口径は、青色光、緑色光に照射される液晶パネル（７Ｂ）（７Ｇ）を冷却する送風ダクト（１１Ｅ）（１１Ｃ）の口径よりも小さく形成されたことを特徴とする液晶プロジェクタ。
　【請求項２】　前記液晶パネル（７Ｇ）（７Ｒ）（７Ｂ）は、液晶が封入された液晶表示部と該液晶表示部の両側に配置された第１偏光板及び第２偏光板とから構成されていることを特徴とする請求項１に記載の液晶プロジェクタ。
【発明の詳細な説明】
　【０００１】
　【発明の属する技術利用分野】
　本発明は、映像信号に応じて光源からの光を液晶パネルにより光変調し、変調された光を投射レンズを介して拡大表示する液晶プロジェクタに関するものである。
　【０００２】
　【従来の技術】
　従来この種プロジェクタとしては、液晶パネルを３枚使用した液晶プロジェクタ（以下、３板式液晶プロジェクタと略す。）が一般的であり、以下３板式液晶プロジェクタについて説明を行う。
　【０００３】
　図３は、一般的な横型３板式液晶プロジェクタの全体ブロック図である。
　【０００４】
　図３において、光源（１）から発せられた白色光は、椀状の反射板（２）により平行光にされ、赤外線カットフィルタにて赤外線が除去された後、第１色分離ダイクロイックミラー（４Ｇ）へ入射される。
　【０００５】
　第１色分離ダイクロイックミラー（４Ｇ）では、白色光から緑色光を分離し、この分離された緑色光は反射ミラー（５Ａ）にて反射された後、コンデンサレンズ（６Ｇ）を介して緑色光用液晶パネル（７Ｇ）へ入射する。
　【０００６】
　一方、第１色分離ダイクロイックミラー（４Ｇ）を通過した赤色光、及び青色光は第２色分離ダイクロイックミラー（４Ｒ）へ入射する。第２色分離ダイクロイックミラー（４Ｒ）では、入射された光から赤色光を分離し、この分離された赤色光はコンデンサレンズ（６Ｒ）を介して赤色光用液晶パネル（７Ｒ）へ入射する。
　【０００７】
　また、赤色光分離ダイクロイックミラー（４Ｒ）を通過した青色光はコンデンサレンズ（６Ｂ）を介して青色光用液晶パネル（７Ｂ）へ入射する。
　【０００８】
　各液晶パネル（７Ｇ）（７Ｒ）（７Ｂ）では映像回路からの映像信号により入射された各原色光を光変調する。
　【０００９】
　そして、緑色光用液晶パネル（７Ｇ）により光変調された緑色光と赤色光用液晶パネル（７Ｒ）により光変調された赤色光とは、第１色合成ダイクロイックミラー（８Ｒ）にて合成された後、これらの合成光は第２色合成ダイクロイックミラー（８Ｂ）へ入射される。
　【００１０】
　また、青色光用液晶パネル（７Ｂ）により光変調された青色光は反射ミラー（５Ｂ）にて反射された後、第１色合成ダイクロイックミラー（８Ｂ）へ入射する。
　【００１１】
　第２色合成ダイクロイックミラー（８Ｂ）では、先ほどの緑色光と赤色光の合成光と、青色光とが合成され、これらの合成された光が投射レンズ（９）を介してスクリーン上に拡大表示される。
　【００１２】
　この結果、視聴者はスクリーン上に拡大表示された映像を観察することができる。
　【００１３】
　また、光源の近傍に光源からの熱を冷却するクロスフローファン（１０）を取り付け、このクロスフローファン（１０）により光源（１）からの熱を冷却している。
　【００１４】
　しかしながら、上述の技術では光源からの熱の冷却することができるものの、液晶パネルを構成している液晶部及び偏光板により発生する熱は冷却することができない。
　【００１５】
　【発明が解決しようとする課題】
　これとは別に、特開平４−２３６５８７号公報には、３枚の液晶パネルにまたがるクロスフローファンを取り付け、各液晶部及び偏光板により発生する熱を冷却する技術が提案されている。
　【００１６】
　しかしながら、同一平面上に３枚の液晶パネルが配置された横型液晶プロジェクタの上面にフロスフローファンを取り付けた場合、クロスフローファンは厚みが最低でも５０ｍｍ程度必要なため、プロジェクタの大型化につながっていた。
　【００１７】
　本発明は、上述の欠点に鑑みなされたものであり、プロジェクタを大型化することなく、液晶部及び偏光板による熱を冷却することができる液晶プロジェクタを得ることを目的とするものである。
　【００１８】
　【課題を解決するための手段】
　本発明は、白色光を発光する光源（１）と、該光源（１）からの白色光を３原色に分離する色分離手段と、該色分離手段により分離された各原色光を映像信号に応じて光変調する３枚の液晶パネル（７Ｇ）（７Ｒ）（７Ｂ）と、該液晶パネル（７Ｇ）（７Ｒ）（７Ｂ）により変調された各原色光を合成する色合成手段と、該色合成手段により合成された光を投射する投射レンズ（９）と、前記液晶パネル（７Ｇ）（７Ｒ）（７Ｂ）を冷却するために冷却風を発生するクロスフローファン（１０）とを具え、
　前記光源（１）と前記色分離手段と前記液晶パネル（７Ｇ）（７Ｒ）（７Ｂ）と前記色合成手段と前記投射レンズ（９）とは同一のシャーシ部に収納され、該シャーシ部の側面に前記クロスフローファン（１０）が配置される液晶プロジェクタである。
　シャーシ部内に、クロスフローファン（１０）からの冷却風を、対応した液晶パネル（７Ｇ）（７Ｒ）（７Ｂ）に案内する３本の送風ダクト（１１Ｃ）（１１Ｄ）（１１Ｅ）を独立して具え、前記シャーシ部の底面に前記送風ダクト（１１Ｃ）（１１Ｄ）（１１Ｅ）が配置され、
　赤色光に照射される液晶パネル（７Ｒ）を冷却する送風ダクト（１１Ｄ）の口径は、青色光、緑色光に照射される液晶パネル（７Ｂ）（７Ｇ）を冷却する送風ダクト（１１Ｅ）（１１Ｃ）の口径よりも小さく形成されたことを特徴とする。
　【００１９】
　前記液晶パネル（７Ｇ）（７Ｒ）（７Ｂ）は、液晶が封入された液晶表示部と該液晶表示部の両側に配置された第１偏光板及び第２偏光板とから構成されている。
　【００２０】
　【発明の実施の形態】
　図１は、本発明液晶プロジェクタの第１実施例を示すブロック図である。
　【００２１】
　図１は、単板式液晶プロジェクタであり、図１において、光源１から発せられた白色光は、赤外線カットフィルタにて赤外線が除去された後、コンデンサレンズ（６）を介して液晶パネル（７）に入射される。液晶パネル（７）では、入射した光を入力された映像信号に応じて光変調し、この光変調された光は、投射レンズ（９）を介してスクリーン上に拡大表示される。
　【００２２】
　ここで、上述の光源（１）、及び反射板（２）は光源ユニット（１４）に収納されているとともに、コンデンサレンズ（６）、液晶パネル（７）、及び投射レンズ（９）は光学ユニット（３）内に収納されている。
　【００２３】
　この光学ユニット（３）の側面には、クロスフローファン（１０）が取り付けられているとともに、このクロスフローファン（１０）の送風口に対応する部分には開口が設けられている。
　【００２４】
　また、液晶パネル（７）の下部と光学ユニット（３）の開口との間には、第１ダクト（１１Ａ）が設けられており、クロスフローファン（１０）からの冷却風は第１ダクト（１１Ａ）の開口を介して液晶パネル（７）に送風され、液晶パネルを構成する液晶部及び偏光板を冷却する。
　【００２５】
　更に、光源（１）の下部と光学ユニット（３）の開口との間には、第２ダクト（１１Ｂ）が設けられており、クロスフローファン（１０）からの冷却風は第２ダクト（１１Ｂ）の開口を介して光源（１）に送風され、光源（１）を冷却する。
　【００２６】
　ここで、第１ダクト（１１Ａ）、及び第２ダクト（１１Ｂ）は、その高さが１０ｍｍ程度となっている。
　【００２７】
　そして、光源ユニット（１４）、及び光学ユニット（３）はキャビネット（１２）内に収納されており、光学ユニット（３）、及び光源ユニット（１４）により外部に放出された熱は、キャビネット（１２）を介して外部に放出される。
　【００２８】
　図２は、本発明液晶プロジェクタの第２実施例を示すブロック図である。
　【００２９】
　図２は、横型３板式液晶プロジェクタであり、図２において、光源（１）から発せられた白色光は、椀状の反射板（２）により平行光にされ、赤外線カットフィルタにて赤外線が除去された後、第１色分離ダイクロイックミラー（４Ｇ）へ入射される。
　【００３０】
　第１色分離ダイクロイックミラー（４Ｇ）では、白色光から緑色光を分離し、この分離された緑色光は反射ミラー（５Ａ）にて反射された後、コンデンサレンズ（６Ｇ）を介して緑色光用液晶パネル（７Ｇ）へ入射する。
　【００３１】
　一方、第１色分離ダイクロイックミラー（４Ｇ）を通過した赤色光、及び青色光は第２色分離ダイクロイックミラー（４Ｒ）へ入射する。第２色分離ダイクロイックミラー（４Ｒ）では、入射された光から赤色光を分離し、この分離された赤色光はコンデンサレンズ（６Ｒ）を介して赤色光用液晶パネル（７Ｒ）へ入射する。
　【００３２】
　また、赤色光分離ダイクロイックミラー（４Ｒ）を通過した青色光はコンデンサレンズ（６Ｂ）を介して青色光用液晶パネル（７Ｂ）へ入射する。
　【００３３】
　各液晶パネル（７Ｇ）、（７Ｒ）、（７Ｂ）では映像回路からの映像信号により入射された各原色光を光変調する。
　【００３４】
　そして、緑色光用液晶パネル（７Ｇ）により光変調された緑色光と赤色光用液晶パネル（７Ｒ）により光変調された赤色光とは、第１色合成ダイクロイックミラー（８Ｒ）にて合成された後、これらの合成光は第２色合成ダイクロイックミラー（８Ｂ）へ入射される。
　【００３５】
　また、青色光用液晶パネル（７Ｂ）により光変調された青色光は反射ミラー（５Ｂ）にて反射された後、第１色合成ダイクロイックミラー（８Ｂ）へ入射する。
　【００３６】
　第２色合成ダイクロイックミラー（８Ｂ）では、先ほどの緑色光と赤色光の合成光と、青色光とが合成され、これらの合成された光が投射レンズ（９）を介してスクリーン上に拡大表示される。
　【００３７】
　この結果、視聴者はスクリーン上に拡大表示された映像を観察することができる。
　【００３８】
　このようにして構成された液晶プロジェクタのうち、光源（１）及び反射板（２）は光源ユニット（１４）に収納され、交換自在に配置されている。また、それ以外の光学部品は、同一平面上に配置され、光学ユニット（３）内に収納されている。
　【００３９】
　そして、上述の光学ユニット（３）及び光源ユニット（１４）はキャビネット（１２）内に収納されている。
　【００４０】
　ところで、この光学ユニット（３）の側面には、クロスフローファン（１０）が取り付けられているとともに、このクロスフローファン（１０）の送風口に対応する部分には開口が設けられている。
　【００４１】
　また、緑色光用液晶パネル（７Ｇ）の下部と光学ユニット（３）の開口との間には第３ダクト（１１Ｃ）が設けられ、また赤色光用液晶パネル（７Ｒ）の下部と光学ユニット（３）の開口との間には第４ダクト（１１Ｄ）が設けられ、また青色光用液晶パネル（７Ｂ）の下部と光学ユニット（３）の開口との間には第５ダクト（１１Ｅ）が設けられている。
　【００４２】
　このため、クロスフローファン（１０）からの冷却風は、第３ダクト（１１Ｃ）の開口、第４ダクト（１１Ｄ）の開口、及び第５ダクト（１１Ｅ）の開口を介して各液晶パネル（７Ｇ）、（７Ｒ）、（７Ｂ）に送風され、各液晶パネルを構成する液晶部及び偏光板を冷却する。
　【００４３】
　尚、第４ダクト（１１Ｄ）の口径が、第３ダクト（１１Ｃ）及び第５ダクト（１１Ｅ）の口径に対して小さいのは、赤色光による発熱量が緑色光、青色光による発熱量よりも少ないためである。
　【００４４】
　また、第３ダクト（１１Ｃ）、第４ダクト（１１Ｄ）、及び第５ダクト（１１Ｅ）は、その高さが１０ｍｍ程度となっている。
　【００４５】
　更に、光学ユニット（３）の外部に放出された熱は、キャビネット（１２）を介して外部に放出される。
　【００４６】
　また、本実施例では、光源１の冷却は行っていないが、別途光源冷却用ダクトを設け、光源を冷却する構造としてもよい。
　【００４７】
　【発明の効果】
　本発明は上述の如く構成することにより、液晶プロジェクタを大型化することなく、液晶パネルを構成する液晶部及び偏光板による発生する熱を冷却することができる。特に、第４ダクト（１１Ｄ）の口径を、第３ダクト（１１Ｃ）及び第５ダクト（１１Ｅ）の口径に対して小さく形成することにより、第３、第４、第５ダクト（１１Ｃ）（１１Ｄ）（１１Ｅ）を収納するシャーシ部を小さくでき、液晶プロジェクタの小型化が図れる。
【図面の簡単な説明】
　【図１】
本発明液晶プロジェクタの第１実施例を示すブロック図である。
　【図２】
本発明液晶プロジェクタの第２実施例を示すブロック図である。
　【図３】
従来の液晶プロジェクタのブロック図である。
　【符号の説明】
１　光源
２　反射板
３　光学ユニット
６　コンデンサレンズ
７　液晶パネル
９　投射レンズ
１０　クロスフローファン
１１Ａ　第１ダクト
１１Ｂ　第２ダクト
１２　キャビネット
１４　光源ユニット